(57)【特許請求の範囲】
【請求項１】
現金入出口の周囲に設けられた第一発光部と、
操作釦の周囲に設けられた第二発光部と、
画像をカラー表示する表示部と、
前記現金入出口からの入出金の処理の状況に基づいて前記第一発光部の発光と前記第二発光部の発光とを制御し、前記第一発光部及び第二発光部のうち少なくともいずれか一方を、前記表示部における入出金の処理を示すタイトルの表示領域の表示色と同じ色で発光させる発光制御部と、
を備える貨幣処理機。
【請求項２】
前記発光制御部は、前記現金入出口からの入出金の処理の状況に基づいて前記第一発光部の発光と前記第二発光部の発光とを同じ色で発光させる、請求項１に記載の貨幣処理機。
【請求項３】
前記発光制御部は、前記現金入出口から現金が複数回に分けて排出される場合、前記複数回の排出のうち最後の排出と、最後以前の排出とで異なる色で前記第一発光部を発光させ、前記現金入出口から現金が一回で排出される場合、前記複数回の排出のうち最後の排出の場合と同じ色で前記第一発光部を発光させる、請求項１または請求項２に記載の貨幣処理機。
【請求項４】
前記発光制御部は、前記現金入出口に投入される現金が即時処理される場合と、前記現金入出口に投入される現金の処理が、貨幣処理機内部での処理準備動作終了を待って行われる場合とで、前記第一発光部を異なる態様で発光させる、請求項１から３のいずれか一項に記載の貨幣処理機。
【請求項５】
前記現金入出口から入金された貨幣を一時的に蓄える一時保留部を備え、
前記発光制御部は、前記現金入出口から排出される現金が前記一時保留部に蓄えられている現金の入金キャンセルによる場合と、前記一時保留部が満杯状態になったことによる一時的な返却による場合とで、前記第一発光部を異なる態様で発光させる、請求項１から４のいずれか一項に記載の貨幣処理機。
【請求項６】
省電力モードと通常電力モードとを切り替えるモード切替部を備え、
前記発光制御部は、前記第一発光部及び前記第二発光部のうち少なくともいずれか一方を点滅させる場合、省電力モードのときは通常モードのときよりもゆっくりとした周期で点滅させる、請求項１から５のいずれか一項に記載の貨幣処理機。
【請求項７】
前記貨幣処理機の本体の正面の左右それぞれの縁に線状に設けられた第三発光部を備え、
前記発光制御部は、前記貨幣処理機の左右にそれぞれ１つずつ設けられた窓口処理機のうち前記貨幣処理機が処理を行っている窓口処理機に近い側の前記第三発光部を発光させる、請求項１から６のいずれか一項に記載の貨幣処理機。
【請求項８】
現金入出口の周囲に設けられた第一発光部と、
操作釦の周囲に設けられた第二発光部と、
画像をカラー表示する表示部と、
を備える貨幣処理機が、
前記現金入出口からの入出金の処理の状況に基づいて前記第一発光部の発光と前記第二発光部の発光とを制御し、前記第一発光部及び第二発光部のうち少なくともいずれか一方を、前記表示部における入出金の処理を示すタイトルの表示領域の表示色と同じ色で発光させる、
発光制御方法。
【請求項９】
現金入出口の周囲に設けられた第一発光部と、
操作釦の周囲に設けられた第二発光部と、
画像をカラー表示する表示部と、
を備える貨幣処理機を制御するコンピュータに、
前記現金入出口からの入出金の処理の状況に基づいて前記第一発光部の発光と前記第二発光部の発光とを制御させ、前記第一発光部及び第二発光部のうち少なくともいずれか一方を、前記表示部における入出金の処理を示すタイトルの表示領域の表示色と同じ色で発光させるためのプログラム。
【発明の詳細な説明】
【技術分野】
【０００１】
本発明は、貨幣処理機、発光制御方法及びプログラムに関する。
【背景技術】
【０００２】
銀行など金融機関の窓口で、機器の利用効率向上の観点から１台の現金処理機を２人の窓口担当者が共用する場合がある。
例えば、特許文献１には、１台の現金処理装置と、この現金処理機の左右それぞれに１台ずつ設けられた２台の窓口処理機とを含む窓口システムが示されている。この現金処理機は、２台の窓口処理機のうちいずれか一方と連動する状態で、窓口処理機の現金処理端末として動作する。例えば窓口担当者が窓口処理機で出金取引の処理を行うと、現金処理機が窓口処理機と連動して、出金取引された現金を出金口から払い出す。
【０００３】
このように、１台の現金処理機を２人の窓口担当者が共用する場合、現金処理機がどちらの窓口担当者の処理に連動しているかを、窓口担当者が正確に把握できることが重要である。例えば、左右両側の窓口担当者がそれぞれ口座への入金取引を処理している場合、現金処理機がどちらの入金取引での現金の投入を待ち受けている状態にあるかを各担当者が正確に把握し、現金処理機への現金の投入（入金）が正しく行われることが重要である。
【０００４】
そこで、特許文献１に記載の現金処理機は、窓口処理機毎に設けられたスタート釦に発光素子を備えている。この発光素子は、現金処理機と窓口処理機との接続状態に応じて発光する。例えば、処理機が右側の窓口処理機と接続されている場合、右側（接続されている窓口処理機に近い側）の発光素子が発光する。窓口担当者は、この発光素子を見ることで、現金処理機と窓口処理機との接続状態を把握することができる。
【先行技術文献】
【特許文献】
【０００５】
【特許文献１】特開平９−９１４９７号公報
【発明の概要】
【発明が解決しようとする課題】
【０００６】
特許文献１では、発光素子をスタート釦に内蔵する例が示されている。この場合、発光素子のためだけの配置スペースを無くすことができる。一方、スタート釦を押下する場合に発光素子が手で覆われるなどにより、窓口担当者が発光素子の発光を見落とす可能性がある。発光素子の発光を見落とす可能性を低減させることができれば、窓口担当者が窓口処理機による現金処理機の占有状態を誤解する可能性を低減させることができ、現金の処理操作と現物処理が一致せず処理誤りにつながる可能性を低減させることができる。
【０００７】
本発明は、窓口担当者が発光素子の発光を見落とす可能性を低減させることができる貨幣処理機、発光制御方法及びプログラムを提供する。
【課題を解決するための手段】
【０００８】
本発明の第１の態様によれば、貨幣処理機は、現金入出口の周囲に設けられた第一発光部と、操作釦の周囲に設けられた第二発光部と、画像をカラー表示する表示部と、前記現金入出口からの入出金の処理の状況に基づいて前記第一発光部の発光と前記第二発光部の発光とを制御し、前記第一発光部及び第二発光部のうち少なくともいずれか一方を、前記表示部における入出金の処理を示すタイトルの表示領域の表示色と同じ色で発光させる発光制御部と、を備える。
【０００９】
前記発光制御部は、前記現金入出口からの入出金の処理の状況に基づいて前記第一発光部の発光と前記第二発光部の発光とを同じ色で発光させるようにしてもよい。
【００１１】
前記発光制御部は、前記現金入出口から現金が複数回に分けて排出される場合、前記複数回の排出のうち最後の排出と、最後以前の排出とで異なる色で前記第一発光部を発光させ、前記現金入出口から現金が一回で排出される場合、前記複数回の排出のうち最後の排出の場合と同じ色で前記第一発光部を発光させるようにしてもよい。
【００１２】
前記発光制御部は、前記現金入出口に投入される現金が即時処理される場合と、前記現金入出口に投入される現金の処理が、貨幣処理機内部での処理準備動作終了を待って行われる場合とで、前記第一発光部を異なる態様で発光させるようにしてもよい。
【００１３】
前記現金入出口から入金された貨幣を一時的に蓄える一時保留部を備え、前記発光制御部は、前記現金入出口から排出される現金が前記一時保留部に蓄えられている現金の入金キャンセルによる場合と、前記一時保留部が満杯状態になったことによる一時的な返却による場合とで、前記第一発光部を異なる態様で発光させるようにしてもよい。
【００１４】
省電力モードと通常電力モードとを切り替えるモード切替部を備え、前記発光制御部は、前記第一発光部及び前記第二発光部のうち少なくともいずれか一方を点滅させる場合、省電力モードのときは通常モードのときよりもゆっくりとした周期で点滅させるようにしてもよい。
【００１５】
前記貨幣処理機の本体の正面の左右それぞれの縁に線状に設けられた第三発光部を備え、前記発光制御部は、前記貨幣処理機の左右にそれぞれ１つずつ設けられた窓口処理機のうち前記貨幣処理機が処理を行っている窓口処理機に近い側の前記第三発光部を発光させるようにしてもよい。
【００１６】
本発明の第３の態様によれば、発光制御方法は、現金入出口の周囲に設けられた第一発光部と、操作釦の周囲に設けられた第二発光部と、画像をカラー表示する表示部と、を備える貨幣処理機が、前記現金入出口からの入出金の処理の状況に基づいて前記第一発光部の発光と前記第二発光部の発光とを制御し、前記第一発光部及び第二発光部のうち少なくともいずれか一方を、前記表示部における入出金の処理を示すタイトルの表示領域の表示色と同じ色で発光させる。
【００１７】
本発明の第４の態様によれば、プログラムは、現金入出口の周囲に設けられた第一発光部と、操作釦の周囲に設けられた第二発光部と、画像をカラー表示する表示部と、を備える貨幣処理機を制御するコンピュータに、前記現金入出口からの入出金の処理の状況に基づいて前記第一発光部の発光と前記第二発光部の発光とを制御させ、前記第一発光部及び第二発光部のうち少なくともいずれか一方を、前記表示部における入出金の処理を示すタイトルの表示領域の表示色と同じ色で発光させるためのプログラムである。
【発明の効果】
【００１８】
本発明によれば、窓口担当者が発光素子の発光を見落とす可能性を低減させることができる。
【図面の簡単な説明】
【００１９】
【図１】本発明の一実施形態に係る窓口システムにおける装置の配置例を示す説明図である。
【図２】同実施形態に係る貨幣処理機の外形の例を示す概略外形図である。
【図３】同実施形態に係る貨幣処理機の機能構成を示す概略ブロック図である。
【図４】同実施形態に係る第一発光部及び第二発光部の発光の態様の第一の例を示す説明図である。
【図５】同実施形態に係る第一発光部及び第二発光部の発光の態様の第二の例を示す説明図である。
【図６】同実施形態に係る第一発光部及び第二発光部の発光の態様の第二の例を示す説明図である。
【図７】同実施形態に係る表示部が表示する入金画面の例を示す説明図である。
【図８】同実施形態に係る表示部が表示する出金画面の例を示す説明図である。
【図９】同実施形態に係る第三発光部の発光の態様の例を示す説明図である。
【図１０】同実施形態に係る第一発光部、第二発光部及び第三発光部の発光の第一例を示す説明図である。
【図１１】同実施形態に係る第一発光部、第二発光部及び第三発光部の発光の第一例を示す説明図である。
【発明を実施するための形態】
【００２０】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態に係る窓口システムにおける装置の配置例を示す説明図である。同図に示すように、窓口システム１は、貨幣処理機１００と、左窓口処理機３００ａと、右窓口処理機３００ｂとを備える。
以下、左窓口処理機３００ａと右窓口処理機３００ｂとを総称して窓口処理機３００と表記する。
【００２１】
窓口システム１は、銀行など金融機関の窓口に設置されて現金を扱う処理を行う。
貨幣処理機１００は、投入される現金（貨幣）を収納し、また、収納している現金を繰り出す。貨幣処理機１００は、貨幣処理機１００単独でも動作し得るし、左窓口処理機３００ａ又は右窓口処理機３００ｂのいずれか一方に占有されて入出金端末としても動作し得る。
【００２２】
左窓口処理機３００ａは、図１に示すように貨幣処理機１００の正面に向かって左側に配置されている。左窓口処理機３００ａは、貨幣処理機１００の左に位置する窓口担当者（テラー、Teller）による操作を受けて、自己口座への入出金取引、または公金振込のような他口座への入金取引等の処理を行う。左窓口処理機３００ａは、例えばパソコン（Personal Computer；ＰＣ）を用いて構成される。
右窓口処理機３００ｂは、図１に示すように貨幣処理機１００の正面に向かって右側に配置されている。右窓口処理機３００ｂは、貨幣処理機１００の右に位置する窓口担当者による操作を受けて、自己口座への入出金取引、または公金振込のような他口座への入金取引等の処理を行う。右窓口処理機３００ｂは、例えばパソコンを用いて構成される。
【００２３】
上記のように、左窓口処理機３００ａ、右窓口処理機３００ｂのいずれも、貨幣処理機１００と通信を行って貨幣処理機１００を入出金端末として機能させることができる。窓口処理機３００での処理に付随して現金の入出が生じた場合、窓口担当者は貨幣処理機１００から現金の入出を行う。
左窓口処理機３００ａが貨幣処理機１００を占有している状態では、貨幣処理機１００は、窓口担当者が左窓口処理機３００ａで行う入金処理に連動して現金の投入を受け、投入された現金を収納する。また、貨幣処理機１００は、窓口担当者が左窓口処理機３００ａで行う出金処理に連動して貨幣処理機１００内に収納している現金を繰り出す。
一方、右窓口処理機３００ｂが貨幣処理機１００を占有している状態では、貨幣処理機１００は、窓口担当者が右窓口処理機３００ｂで行う入金処理に連動して現金の投入を受け、投入された現金を収納する。また、貨幣処理機１００は、窓口担当者が右窓口処理機３００ｂで行う出金処理に連動して貨幣処理機１００内に収納している現金を繰り出す。
【００２４】
図２は、貨幣処理機１００の外形の例を示す概略外形図である。同図に示すように、貨幣処理機１００の筐体（貨幣処理機筐体１１０）の上面には、表示部１３０の表示画面と、硬貨入金口２１１と、左スタートボタン２３０ａと、右スタートボタン２３０ｂとが設けられている。また、左スタートボタン２３０ａの周囲に左第二発光部２５０ａが設けられ、右スタートボタン２３０ｂの周囲に右第二発光部２５０ｂが設けられている。また、表示部１３０の表示画面には操作入力部１４０のタッチセンサが設けられてタッチパネルを構成している。
【００２５】
また、貨幣処理機筐体１１０の前面（筐体前面１１１）には、硬貨出金口２１２と、紙幣入出金口２１３と、紙幣入金リジェクト口２１４とが設けられている。また、硬貨出金口２１２の周囲には硬貨出金口第一発光部２４２が設けられ、紙幣入金リジェクト口２１４の周囲には紙幣入出口第一発光部２４３が設けられている。また、筐体前面１１１に向かって左側の縁に沿って線状に左第三発光部２６０ａが設けられており、右側の縁に沿って線状に右第三発光部２６０ｂが設けられている。
【００２６】
以下、硬貨入金口２１１と、硬貨出金口２１２と、紙幣入出金口２１３と、紙幣入金リジェクト口２１４とを総称して現金入出口２１０と表記する。また、左スタートボタン２３０ａと右スタートボタン２３０ｂとを総称してスタートボタン２３０と表記する。硬貨出金口第一発光部２４２と紙幣入出口第一発光部２４３とを総称して第一発光部２４０と表記する。左第二発光部２５０ａと右第二発光部２５０ｂとを総称して第二発光部２５０と表記する。左第三発光部２６０ａと右第三発光部２６０ｂとを総称して第三発光部２６０と表記する。
【００２７】
表示部１３０は、表示画面に各種画像を表示する。特に、表示部１３０は、貨幣処理機１００の状態の表示や窓口担当者が行う操作の誘導など、窓口担当者に提示する各種情報を表示する。表示部１３０は画像をカラー表示する。
操作入力部１４０は、画面タッチによるユーザ操作を受け付ける。
硬貨入金口２１１は、硬貨の投入を受ける。硬貨出金口２１２は、硬貨を繰り出す（出金する）。紙幣入出金口２１３は、入金処理に伴って紙幣の投入を受け、また、出金処理に伴って紙幣を繰り出す。紙幣入金リジェクト口２１４は、紙幣入出金口２１３から投入された紙幣のうち、何らかの理由で拒絶（Reject）された紙幣の返却口である。
硬貨入金口２１１、硬貨出金口２１２、紙幣入出金口２１３、紙幣入金リジェクト口２１４のいずれにもシャッターが設けられており、シャッターが開いた状態で現金の投入を受け、あるいは、現金を繰り出す。
【００２８】
スタートボタン２３０は、窓口処理機３００のいずれかが貨幣処理機１００を占有している場合に、貨幣処理機１００が現金の入出を行うタイミングを示す。左窓口処理機３００aが貨幣処理機１００を占有している場合に左スタートボタン２３０ａが押下されると、貨幣処理機１００は、左窓口処理機３００aからの通信データに基づく入出金処理を開始する。右窓口処理機３００ｂが貨幣処理機１００を占有している場合に右スタートボタン２３０ｂが押下されると、貨幣処理機１００は、右窓口処理機３００ｂからの通信データに基づく入出金処理を開始する。
スタートボタン２３０は操作釦の例に該当する。
硬貨出金口第一発光部２４２、紙幣入出口第一発光部２４３、左第二発光部２５０ａ、右第二発光部２５０ｂ、左第三発光部２６０ａ、右第三発光部２６０ｂは、いずれも発光の有無、発光する場合の点灯と点滅との相違、点滅の速さ、及び、発光する色によって貨幣処理機１００の内部状態を示し、また、ユーザ（窓口担当者）が行う操作の誘導を表示する。
【００２９】
図３は、貨幣処理機１００の機能構成を示す概略ブロック図である。同図に示すように、貨幣処理機１００は、通信部１２０と、表示部１３０と、操作入力部１４０と、硬貨入金口２１１と、硬貨出金口２１２と、紙幣入出金口２１３と、紙幣入金リジェクト口２１４と、硬貨プール２２１と、紙幣プール２２２と、硬貨収納部２２３と、紙幣収納部２２４と、左スタートボタン２３０ａと、右スタートボタン２３０ｂと、硬貨出金口第一発光部２４２と、紙幣入出口第一発光部２４３と、左第二発光部２５０ａと、右第二発光部２５０ｂと、左第三発光部２６０ａと、右第三発光部２６０ｂと、記憶部２８０と、制御部２９０とを備える。制御部２９０は、発光制御部２９１と、モード切替部２９２と、入出金処理部２９３とを備える。
以下、硬貨プール２２１と紙幣プール２２２とを総称して一時保留部２２０と表記する。
図３に示す各部のうち、図２を参照して説明した部分と同一の部分には同じ符号（１００、１３０、１４０、２１１、２１２、２１３、２１４、２３０ａ、２３０ｂ、２４２、２４３、２５０ａ、２５０ｂ、２６０ａ、２６０ｂ）を付して説明を省略する。
【００３０】
通信部１２０は、他の装置と通信を行う。特に、通信部１２０は、窓口処理機３００と通信を行う。
硬貨収納部２２３は、硬貨を収納する。特に、硬貨収納部２２３は、硬貨入金口２１１から投入されて入出金処理部２９３が処理済みの硬貨を格納する。
紙幣収納部２２４は、紙幣を格納する。特に紙幣収納部２２４は、紙幣入出金口２１３から投入されて入出金処理部２９３が処理済みの紙幣を格納する。
【００３１】
硬貨プール２２１は、硬貨入金口２１１から投入された硬貨を一時的に蓄える。硬貨プール２２１に蓄えられた硬貨は、入出金処理部２９３による処理が完了した後、硬貨収納部２２３に収納される。一方、硬貨プール２２１が満杯の場合、あるいは、硬貨の状態が良くない場合など、何らかの理由で入出金処理部２９３が処理を行えない硬貨については、硬貨出金口２１２から返却される。
紙幣プール２２２は、紙幣入出金口２１３から投入された紙幣を一時的に蓄える。
紙幣プール２２２に蓄えられた紙幣は、入出金処理部２９３による処理が完了した後、紙幣収納部２２４に収納される。一方、紙幣プール２２２が満杯の場合、あるいは、紙幣の状態が良くない場合など、何らかの理由で入出金処理部２９３が処理を行えない紙幣については、処理を行えない理由に応じて紙幣入出金口２１３又は紙幣入金リジェクト口２１４のいずれかから返却される。
【００３２】
記憶部２８０は、各種情報を記憶する。記憶部２８０は、例えば貨幣処理機１００が備える記憶デバイスを用いて構成される。あるいは、記憶部２８０が、貨幣処理機１００に外付けされた記憶デバイスを用いて構成されていてもよい。
制御部２９０は、貨幣処理機１００の各部を制御して各種処理を実行する。制御部２９０は、例えば貨幣処理機１００が備えるＣＰＵ（Central Processing Unit、中央処理装置）が、記憶部２８０からプログラムを読み出して実行することで実現される。
【００３３】
発光制御部２９１は、入出金処理部２９３が現金入出口２１０からの入出金を処理する処理状況に基づいて第一発光部２４０、第二発光部２５０及び第三発光部２６０の発光を制御する。
特に、発光制御部２９１は、第一発光部２４０、第二発光部２５０及び第三発光部２６０のうちの発光箇所と、発光色と、点灯又は点滅の区別とにより、入出金処理部２９３による入出金の処理の状況を表示する。
【００３４】
また、発光制御部２９１は、第一発光部２４０、第二発光部２５０及び第三発光部２６０のうち少なくともいずれかを、表示部１３０における表示色と同じ色で発光させる。これにより、窓口担当者は貨幣処理機１００の状態を色で把握することができる。
また、現金入出口２１０から現金が複数回に分けて排出される場合、発光制御部２９１は、複数回の排出のうち最後の排出と、最後以前の排出とで異なる色で第一発光部２４０を発光させる。また、現金入出口２１０から現金が一回で排出される場合、発光制御部２９１は、複数回の排出のうち最後の排出の場合と同じ色で第一発光部２４０を発光させる。これにより、窓口担当者が排出された現金をとり忘れる可能性を低減させることができる。
【００３５】
また、発光制御部２９１は、現金入出口２１０に投入される現金が即時処理される場合と、現金入出口２１０に投入される現金の処理が、貨幣処理機１００内部での処理準備動作終了を待って行われる場合とで、第一発光部２４０を異なる態様で発光させる。これにより、窓口担当者は、現金入出口２１０に投入する現金を直ちに取引可能か否かを把握することができる。
ここでいう発光の態様は、色、発光の有無、点滅の有無、点滅の速さのうちのいずれか、又はこれらの組み合わせであってもよいが、これに限らない。例えば、明るさ、点滅のパタン、部分的な点滅の箇所などであってもよい。
【００３６】
また、発光制御部２９１は、現金入出口２１０から排出される現金が一時保留部２２０に蓄えられている現金の入金キャンセルによる場合と、一時保留部２２０が満杯状態になったことによる一時的な返却による場合とで、第一発光部２４０を異なる態様で発光させる。これにより、窓口担当者は、返却される現金について、単なる返却と後処理の必要な返却とを区別することができる。
また、発光制御部２９１は、第一発光部２４０、第二発光部２５０及び第三発光部２６０のうち少なくともいずれかを点滅させる場合、省電力モードのときは通常モードのときよりもゆっくりとした周期で点滅させる。これにより、窓口担当者は、貨幣処理機１００が省電力モードで稼働しているか否かを容易に把握することができる。
【００３７】
また、発光制御部２９１は、貨幣処理機１００が処理を行っている窓口処理機３００に近い側の第三発光部２６０を発光させる。これにより、窓口担当者は、窓口処理機３００による貨幣処理機１００の占有状態を把握することができる。特に、第二発光部２５０と第三発光部２６０との両方が窓口処理機３００による貨幣処理機１００の占有状態を表示することで、窓口担当者が表示を見落とす可能性を低減させることができる。
モード切替部２９２は、貨幣処理機１００の電力消費のモードを、省電力モード及び通常電力モードのうちいずれか一方に切り替える。
入出金処理部２９３は、現金入出口２１０からの入出金に関する処理を行う。
【００３８】
次に、図４〜図７を参照して、発光制御部２９１の制御による第一発光部２４０、第二発光部２５０及び第三発光部２６０の発光の態様の例について説明する。
図４は、第一発光部２４０及び第二発光部２５０の発光の態様の第一の例を示す説明図である。図４は、入金及び出金に共通の項目、あるいは、入出金以外の項目について発光の態様の例を示している。
貨幣処理機１００が電源をオン（接続）されて初期化中の状態では、発光制御部２９１は、第一発光部２４０及び第二発光部２５０のいずれも青で点灯させる。
貨幣処理機１００がアイドル状態の場合は、発光制御部２９１は、第一発光部２４０及び第二発光部２５０のいずれも消灯させる。
【００３９】
省電力中の状態では、発光制御部２９１は、第一発光部２４０を消灯させ、第二発光部２５０を点灯させる。
なお、貨幣処理機１００が動作中の場合、発光制御部２９１は、２つの第二発光部２５０のうち、貨幣処理機１００を占有している第二発光部２５０のみを点灯させる。いずれの第二発光部２５０も貨幣処理機１００を占有していない場合は、発光制御部２９１はいずれの貨幣処理機１００も消灯させる。以下についても同様である。
【００４０】
硬貨ユニットのロックが外れている場合、発光制御部２９１は、硬貨出金口第一発光部２４２と第二発光部２５０とを赤で点灯させ、紙幣入出口第一発光部２４３を消灯させる。
紙幣ユニットのロックが外れている場合、発光制御部２９１は、紙幣入出口第一発光部２４３と第二発光部２５０とを赤で点灯させ、硬貨出金口第一発光部２４２を消灯させる。
【００４１】
硬貨のエラーで貨幣処理機１００が処理を中断している場合（アイドル）、発光制御部２９１は、硬貨出金口第一発光部２４２と第二発光部２５０とを赤で点滅させ、紙幣入出口第一発光部２４３を消灯させる。
紙幣のエラーで貨幣処理機１００が処理を中断している場合、発光制御部２９１は、紙幣入出口第一発光部２４３と第二発光部２５０とを赤で点滅させ、硬貨出金口第一発光部２４２を消灯させる。
【００４２】
このように、発光制御部２９１は、通常状態では第一発光部２４０及び第二発光部２５０を青で発光させる。一方、エラー発生時など対応が必要な状態では、発光制御部２９１は、第一発光部２４０及び第二発光部２５０を赤で発光させる。また、発光制御部２９１は、窓口処理機３００による貨幣処理機１００の占有状態を、２つの第二発光部のいずれを発光させるかで示す。これにより、窓口担当者は、貨幣処理機１００の状態を視覚的に把握することでき、この点で、より速くより正確に把握することができる。
【００４３】
図５は、第一発光部２４０及び第二発光部２５０の発光の態様の第二の例を示す説明図である。図５は入金に関する項目について発光の態様の例を示している。
窓口処理機３００のいずれかが入金処理のために貨幣処理機１００を占有している場合、発光制御部２９１は、紙幣入出口第一発光部２４３と第二発光部２５０とをピンクで点灯させ、硬貨出金口第一発光部２４２を消灯させる。貨幣処理機１００が入金を計数中で、硬貨のリジェクト（受入できずに返却）が無い場合も同様である。
【００４４】
貨幣処理機１００が入金を計数中で、硬貨のリジェクトがある場合、発光制御部２９１は、硬貨出金口第一発光部２４２をピンクで点滅させ、第二発光部２５０とをピンクで点灯させ、紙幣入出口第一発光部２４３を消灯させる。返却硬貨があり、貨幣処理機１００が硬貨返却動作中の場合も同様である。
硬貨のリジェクト又は返却があり、硬貨出金口２１２からの硬貨の抜き取り待ち状態の場合、発光制御部２９１は、硬貨出金口第一発光部２４２をピンクで点滅させ、第二発光部２５０をピンクで点灯させ、紙幣入出口第一発光部２４３を消灯させる。なお、硬貨出金口２１２をカルトンとも称する。
【００４５】
紙幣のリジェクトがあり、紙幣入金リジェクト口２１４からの紙幣の抜き取り待ち状態の場合、発光制御部２９１は、紙幣入出口第一発光部２４３をピンクで点滅させ、第二発光部２５０をピンクで点灯させ、硬貨出金口第一発光部２４２を消灯させる。
硬貨の取込不良が発生して確認待ちの場合、発光制御部２９１は、第二発光部２５０をピンクで点灯させ、硬貨出金口第一発光部２４２と紙幣入出口第一発光部２４３とを消灯させる。
紙幣の取込不良が発生して確認待ちの場合、発光制御部２９１は、紙幣入出口第一発光部２４３をピンクで点滅させ、第二発光部２５０をピンクで点灯させ、硬貨出金口第一発光部２４２を消灯させる。返却紙幣があり抜き取り待ちの場合も同様である。
【００４６】
入金の計数が正常に終了した場合、発光制御部２９１は、紙幣入出口第一発光部２４３と第二発光部２５０とをピンクで点灯させ、硬貨出金口第一発光部２４２を消灯させる。
入金を収納中で入金口からの返却が有る場合、一時保留部２２０にある入金を収納中の場合、及び、一時保留部２２０が満杯か否かの確認待ちの場合も同様に、発光制御部２９１は、紙幣入出口第一発光部２４３と第二発光部２５０とをピンクで点灯させ、硬貨出金口第一発光部２４２を消灯させる。
【００４７】
硬貨プール２２１が満杯で硬貨を返却中の場合、発光制御部２９１は、硬貨出金口第一発光部２４２をオレンジで点灯させ、第二発光部２５０をピンクで点灯させ、紙幣入出口第一発光部２４３を消灯させる。
硬貨プール２２１が満杯で硬貨を返却し、硬貨出金口２１２からの抜き取り待ちの場合、発光制御部２９１は、硬貨出金口第一発光部２４２をオレンジで点滅させ、第二発光部２５０をピンクで点灯させ、紙幣入出口第一発光部２４３を消灯させる。
【００４８】
紙幣プール２２２が満杯で紙幣を返却中の場合、発光制御部２９１は、紙幣入出口第一発光部２４３をオレンジで点灯させ、第二発光部２５０をピンクで点灯させ、硬貨出金口第一発光部２４２を消灯させる。
紙幣プール２２２が満杯で紙幣を返却し、紙幣入出金口２１３からの抜き取り待ちの場合、発光制御部２９１は、紙幣入出口第一発光部２４３をオレンジで点滅させ、第二発光部２５０をピンクで点灯させ、硬貨出金口第一発光部２４２を消灯させる。
【００４９】
入金に関する硬貨のエラーが発生した場合、計数中のとき、窓口担当者の処理待ちのとき、硬貨を収納中のとき、機械の故障のときのいずれも、発光制御部２９１は、硬貨出金口第一発光部２４２及び第二発光部２５０を赤で点滅させ、紙幣入出口第一発光部２４３を消灯させる。
入金に関する紙幣のエラーが発生した場合、計数中のとき、窓口担当者の処理待ちのとき、紙幣を収納中のとき、機械の故障のときのいずれも、発光制御部２９１は、紙幣入出口第一発光部２４３及び第二発光部２５０を赤で点滅させ、硬貨出金口第一発光部２４２を消灯させる。
【００５０】
このように、発光制御部２９１は、貨幣処理機１００が入金に関する処理を行っていることを、第一発光部２４０及び第二発光部２５０のいずれか一方又は両方をピンクで発光させることで示す。また、発光制御部２９１は、現金の抜き取り等の待ち状態を第一発光部の点滅で示す。また、発光制御部２９１は、一時保留部２２０の満杯状態には、第一発光部２４０をオレンジで発光させる。また、エラー発生時など対応が必要な状態では、発光制御部２９１は、第一発光部２４０及び第二発光部２５０を赤で発光させる。また、発光制御部２９１は、窓口処理機３００による貨幣処理機１００の占有状態を、２つの第二発光部のいずれを発光させるかで示す。これにより、窓口担当者は、貨幣処理機１００の状態を視覚的に把握することでき、この点で、より速くより正確に把握することができる。
【００５１】
図６は、第一発光部２４０及び第二発光部２５０の発光の態様の第二の例を示す説明図である。図６は出金に関する項目について発光の態様の例を示している。
窓口処理機３００のいずれかが出金処理のために貨幣処理機１００を占有している場合、発光制御部２９１は、第二発光部２５０を薄青で点灯させ、硬貨出金口第一発光部２４２と紙幣入出口第一発光部２４３とを消灯させる。
窓口処理機３００のいずれかが出金処理のために貨幣処理機１００を占有している状態で計数中の場合、発光制御部２９１は、硬貨出金口第一発光部２４２と紙幣入出口第一発光部２４３と第二発光部２５０とを薄青で点灯させる。
【００５２】
出金または現金の放出のボタン確認待ちの場合、発光制御部２９１は、硬貨出金口第一発光部２４２と紙幣入出口第一発光部２４３とを薄青で点灯させ、第二発光部２５０を薄青で点滅させる。
出金の抜き取り待ちの場合、発光制御部２９１は、硬貨出金口第一発光部２４２と紙幣入出口第一発光部２４３とを薄青で点滅させ、第二発光部２５０を薄青で点灯させる。
【００５３】
出金に関する硬貨のエラーが発生した場合、計数中のとき、機械の故障のとき、硬貨を放出中のとき、窓口担当者の処理待ちのときのいずれも、発光制御部２９１は、硬貨出金口第一発光部２４２及び第二発光部２５０を赤で点滅させ、紙幣入出口第一発光部２４３を消灯させる。
出金に関する紙幣のエラーが発生した場合、計数中のとき、機械の故障のとき、紙幣を放出中のとき、窓口担当者の処理待ちのときのいずれも、発光制御部２９１は、紙幣入出口第一発光部２４３及び第二発光部２５０を赤で点滅させ、硬貨出金口第一発光部２４２を消灯させる。
【００５４】
貨幣処理機１００がローカルで動作して自己精査のスタートを待っている状態では、発光制御部２９１は、硬貨出金口第一発光部２４２、紙幣入出口第一発光部２４３、第二発光部２５０のいずれも薄青で点灯させる。
紙幣を自動収取して計数中の場合、発光制御部２９１は、紙幣入出口第一発光部２４３と第二発光部２５０と緑で点灯させ、硬貨出金口第一発光部２４２を消灯させる。
【００５５】
このように、発光制御部２９１は、貨幣処理機１００が出金に関する処理を行っていることを、第一発光部２４０及び第二発光部２５０のいずれか一方又は両方を青系統の色（特に薄青又は緑）で発光させることで示す。また、発光制御部２９１は、現金の抜き取り等の待ち状態を第一発光部の点滅で示す。また、エラー発生時など対応が必要な状態では、発光制御部２９１は、第一発光部２４０及び第二発光部２５０を赤で発光させる（特に、赤で点滅させる）。また、発光制御部２９１は、窓口処理機３００による貨幣処理機１００の占有状態を、２つの第二発光部のいずれを発光させるかで示す。これにより、窓口担当者は、貨幣処理機１００の状態を視覚的に把握することでき、この点で、より速くより正確に把握することができる。
【００５６】
また、発光制御部２９１は、表示部１３０による表示色に合わせた色（例えば、同じ色、又は、同じ系統の色）で、第一発光部２４０及び第二発光部２５０を発光させる。具体的には、表示部１３０が入金処理の場合と出金処理の場合とでタイトルのバックを異なる色で表示し、発光制御部２９１は、この色に合わせて第一発光部２４０及び第二発光部２５０を発光させる。
【００５７】
図７は、表示部１３０が表示する入金画面の例を示す説明図である。同図の例で、表示部１３０は、タイトルの表示領域（領域Ａ１１）に、入金処理を示す「入金占有中」とのタイトルを表示している。表示部１３０は、制御部２９０の制御に従って、領域Ａ１１をピンクで表示する。
また、発光制御部２９１は、図５の「入金占有」の項目に示すように、貨幣処理機１００を占有中の窓口処理機３００の側の第二発光部２５０と、紙幣入出金口２１３とを、領域Ａ１１の表示色に合せてピンクで発光させる。
【００５８】
図８は、表示部１３０が表示する出金画面の例を示す説明図である。同図の例で、表示部１３０は、タイトルの表示領域（領域Ａ１２）に、出金処理を示す「出金占有中」とのタイトルを表示している。表示部１３０は、制御部２９０の制御に従って、領域Ａ１２を青で表示する。
また、発光制御部２９１は、図６の「出金占有」の項目に示すように、貨幣処理機１００を占有中の窓口処理機３００の側の第二発光部２５０を、領域Ａ１２の表示色と同じ系統の薄青で発光させる。
このように、発光制御部２９１が、表示部１３０による表示色に合わせた色で第一発光部２４０及び第二発光部２５０を発光させることで、窓口担当者は貨幣処理機１００による処理の状況を色で視覚的に把握することができる。
【００５９】
なお、現金入出口２１０から現金が複数回に分けて排出される場合、発光制御部２９１が、複数回の排出のうち最後の排出と、最後以前の排出とで異なる色で第一発光部２４０を発光させるようにしてもよい。この場合の現金入出口２１０から排出される現金は、出金による放出現金であってもよいし、入金された現金が返却されるものであってもよい。また、この場合の現金は、紙幣、硬貨のいずれであってもよいし、これらの組み合わせでもよい。
【００６０】
例えば、紙幣が３回に分けて出金される場合、１回目の排出の及び２回目の排出では、発光制御部２９１が紙幣入金リジェクト口２１４を紫色など特別な色で発光させる。ここでいう特別な色は、他の状態では用いられていない色あるいは使用頻度の低い色である。
一方、３回目（最後）の排出では、発光制御部２９１が紙幣入金リジェクト口２１４を青など通常の色で発光させる。ここでいう通常の色は、使用頻度が比較的高い色である。
これにより、窓口担当者は、現金の排出がさらに繰り返されるか否かを把握することができる。この点で、窓口担当者が排出された現金を取り忘れる可能性を低減させることができる。
【００６１】
また、現金入出口２１０から現金が一回で排出される場合、発光制御部２９１が、複数回の排出のうち最後の排出の場合と同じ色（上の例では青）で第一発光部２４０を発光させるようにしてもよい。
これによっても、窓口担当者は、現金の排出がさらに繰り返されるか否かを把握することができる。この点で、窓口担当者が排出された現金を取り忘れる可能性を低減させることができる。
【００６２】
また、発光制御部２９１が、現金入出口２１０に投入される現金が即時処理される場合と、現金入出口２１０に投入される現金の処理が、貨幣処理機１００内部での処理準備動作終了を待って行われる場合とで、第一発光部２４０を異なる態様で発光させるようにしてもよい。
例えば、貨幣処理機１００が紙幣の入金取引を行う際に、紙幣プール２２２が紙幣で満杯または満杯に近い状態であり、入出金処理部２９３が紙幣プール２２２の紙幣を金種別スタッカにバックグラウンンドで分配して空き容量を確保する場合がある。この場合、発光制御部２９１は、紙幣入出口第一発光部２４３を緑色など特別な色で発光させ、入金計数動作開始までには一時待機が必要であることを示す。バックグラウンンドでの分配動作が終了した場合、発光制御部２９１は、紙幣入出口第一発光部２４３をピンクなど通常の色で発光させる。
これにより、窓口担当者は、現金入出口２１０に投入する現金を直ちに取引可能か否かを把握することができる。
【００６３】
また、一時保留部２２０に蓄えられている現金の入金キャンセルにより現金入出口２１０から現金が排出される場合と、一時保留部２２０が満杯状態になって現金入出口２１０から現金が一時的に返却される場合とで、発光制御部２９１が、第一発光部２４０を異なる態様で発光させるようにしてもよい。この場合の現金入出口２１０から排出される現金は、紙幣であってもよいし硬貨であってもよい。
例えば、入金処理で３０枚の紙幣が紙幣プール２２２に蓄えられた状態で窓口担当者が返却ボタンを押下して入金処理をキャンセルした場合、３０枚の紙幣が紙幣プール２２２から現金入出口２１０に返却される。この場合、発光制御部２９１は、紙幣入出口第一発光部２４３をピンクなど通常の色で発光させる。
【００６４】
また、例えば１５０枚の紙幣が計数のために現金入出口２１０から投入されたのに対し、紙幣プール２２２の容量が１００枚であり、１５０枚のうち１００枚が紙幣プール２２２に保留され計数される。この状態で、上位機が貨幣処理機１００に１００枚の紙幣を現金入出口２１０に返却するよう指示した場合、残りの５０枚の紙幣が未計数で現金入出口２１０に残存している。この５０枚の紙幣を一旦取り除く必要があるため、発光制御部２９１は、紙幣入出口第一発光部２４３をオレンジなど特別な色で発光させる。
【００６５】
窓口担当者が残り５０枚の紙幣を取り除き、紙幣プール２２２から１００枚の紙幣が現金入出口２１０に返却されたときも、発光制御部２９１は、紙幣入出口第一発光部２４３をオレンジなど特別な色で発光させる。窓口担当者は、１００枚の紙幣を取り除いた後、残り５０枚の紙幣を現金入出口２１０に投入して貨幣処理機１００に追加計数する。なお、窓口担当者は、返却された１００枚の紙幣を取引終了後に手許管理の現金として保管するようにしても良いし、別途の補充処理によって貨幣処理機１００内へ補充されるようにしても良い。
このように、発光制御部２９１が返却される現金が一時的な返却か否かを第一発光部２４０の発光の態様で示す。これにより、窓口担当者は、返却される現金を再度投入する必要があるか否かを把握することができ、操作間違いの可能性を低減させることができる。
【００６６】
図９は、第三発光部２６０の発光の態様の例を示す説明図である。
電源をオン（接続）されて初期化中の状態では、発光制御部２９１は、左第三発光部２６０ａ、右第三発光部２６０ｂのいずれも青で点灯させる。
アイドル状態では、発光制御部２９１は、左第三発光部２６０ａ、右第三発光部２６０ｂのいずれも消灯させる。
省電力中の状態では、発光制御部２９１は、左第三発光部２６０ａ、右第三発光部２６０ｂのいずれもスロー点滅させる。ここで、点滅速度として通常点滅とスロー点滅との２つの速度が定められている。スロー点滅では、通常点滅よりも長い周期で（すなわち、通常点滅よりも遅く）点滅する。
このように、発光制御部２９１は、省電力モードでは第一発光部２４０又は第二発光部２５０あるいはその両方を、通常モードのときよりもゆっくりとした周期で点滅させる。これにより、窓口担当者は、貨幣処理機１００が省電力モードで稼働しているか否かを視覚的に把握することができる。
【００６７】
貨幣処理機１００が左窓口処理機３００ａの端末装置として動作している場合、発光制御部２９１は、左第三発光部２６０ａを青で点灯させ、右第三発光部２６０ｂを消灯させる。
貨幣処理機１００が右窓口処理機３００ｂの端末装置として動作している場合、発光制御部２９１は、右第三発光部２６０ｂを青で点灯させ、左第三発光部２６０ａを消灯させる。
貨幣処理機１００が単独で動作するローカル処理の開始時には、発光制御部２９１は、左第三発光部２６０ａ及び右第三発光部２６０ｂのいずれも青で点灯させる。
このように、入出金処理を受け付ける状態では、発光制御部２９１は、第三発光部２６０の点灯色を青とし、左右いずれの発光制御部２９１を点灯させるかで、窓口処理機３００との関係を示す。
【００６８】
貨幣処理機１００が、左窓口処理機３００ａの端末装置として動作しているときに、装置引き出し待ちになった場合、発光制御部２９１は、左第三発光部２６０ａを青で点滅させ、右第三発光部２６０ｂを消灯させる。
貨幣処理機１００が右窓口処理機３００ｂの端末装置として動作しているときに、装置引き出し待ちになった場合、発光制御部２９１は、右第三発光部２６０ｂを青で点滅させ、左第三発光部２６０ａを消灯させる。
貨幣処理機１００が単独で動作するローカル処理で、装置引き出し待ちになった場合、発光制御部２９１は、左第三発光部２６０ａ及び右第三発光部２６０ｂのいずれも青で点滅させる。
このように、装置引き出し待ちの状態では、発光制御部２９１は、第三発光部２６０を青で点滅させる。そして、発光制御部２９１は、窓口処理機との関係を点滅させる発光制御部２９１の位置で示す。
【００６９】
図１０は、第一発光部２４０、第二発光部２５０及び第三発光部２６０の発光の第一例を示す説明図である。同図は、右窓口処理機３００ｂが貨幣処理機１００を占有している入金占有中の場合の例を示している。
図５の「入金占有」の項目に示されるように、発光制御部２９１は、紙幣入出口第一発光部２４３と、右第二発光部２５０ｂ（貨幣処理機１００を占有している右窓口処理機３００ｂに近い側の第二発光部２５０）とを点灯させている。また、図９の「右占有（紙幣／硬貨）」の項目に示されるように、発光制御部２９１は、右第三発光部２６０ｂを点灯させ、左第三発光部２６０ａを消灯させる。
このように、発光制御部２９１が、第二発光部２５０と第三発光部２６０とを連動させて窓口処理機３００による貨幣処理機１００の占有状態（どちらの窓口処理機３００が貨幣処理機１００を占有しているか）を表示させることで、窓口担当者が表示を見落として貨幣処理機１００の占有状態を誤解する可能性を低減させることができる。
【００７０】
図１１は、第一発光部２４０、第二発光部２５０及び第三発光部２６０の発光の第一例を示す説明図である。同図は、右窓口処理機３００ｂが貨幣処理機１００を占有している出金占有の計数中の場合の例を示している。
図６の「出金占有の計数中」の項目に示されるように、発光制御部２９１は、硬貨出金口第一発光部２４２と、紙幣入出口第一発光部２４３と、右第二発光部２５０ｂ（貨幣処理機１００を占有している右窓口処理機３００ｂに近い側の第二発光部２５０）とを点灯させている。また、図９の「右占有（紙幣／硬貨）」の項目に示されるように、発光制御部２９１は、右第三発光部２６０ｂを点灯させ、左第三発光部２６０ａを消灯させる。
図１０の例の場合と同様、図１１の例でも、発光制御部２９１が第二発光部２５０と第三発光部２６０とを連動させて窓口処理機３００による貨幣処理機１００の占有状態を表示させることで、窓口担当者が表示を見落として貨幣処理機１００の占有状態を誤解する可能性を低減させることができる。
【００７１】
以上のように、第一発光部２４０が現金入出口２１０の周囲に設けられ、第二発光部２５０がスタートボタン２３０の周囲に設けられている。そして、発光制御部２９１は、現金入出口２１０からの入出金の処理の状況に基づいて第一発光部２４０の発光と第二発光部２５０の発光とを制御する。
このように、第二発光部２５０がスタートボタン２３０の周囲に設けられていることで、第二発光部２５０がスタートボタン２３０に内蔵されている場合と比較すると、スタートボタン２３０を押下する場合などスタートボタン２３０が手で覆われている場合でも、窓口担当者が第二発光部２５０を見落とす可能性を低減させることができる。さらに、第二発光部２５０がスタートボタン２３０の全周に設けられていることで、窓口担当者が第二発光部２５０を見落とす可能性をさらに低減させることができる。
【００７２】
また、発光制御部２９１が第一発光部２４０と第二発光部２５０との発光を制御することで、窓口担当者は、第二発光部２５０を見ていなかった場合でも、第一発光部２４０の発光を見て貨幣処理機１００がいずれかの窓口処理機３００に占有されていることを把握できる可能性がある。貨幣処理機１００がいずれかの窓口処理機３００に占有されていることに窓口担当者が気付くことで、窓口担当者が、窓口処理機３００による貨幣処理機１００の占有の状況を確認することが期待される。
このように、発光制御部２９１が第二発光部２５０だけでなく第一発光部２４０の発光も制御することで、窓口担当者が第一発光部２４０及び第二発光部２５０のうち少なくともいずれか一方を見る可能性が高まり、この点で視認性を向上させることができる。そして、この視認性の向上により、貨幣処理機１００がいずれかの窓口処理機３００に占有されていることに窓口担当者が気付き、窓口処理機３００による貨幣処理機１００の占有の状況を確認することが期待される。
【００７３】
また、発光制御部２９１は、第一発光部２４０及び第二発光部２５０のうちの発光箇所、発光色、及び点灯又は点滅の区別により、入出金の処理の状況を表示する。これにより、窓口担当者が入出金の処理の状況を把握し、次に行うべき作業を把握できることが期待される。これにより、窓口担当者が作業を比較的速やかに行えることが期待される。
【００７４】
また、表示部１３０は画像をカラー表示する。そして、発光制御部２９１は、第一発光部２４０及び第二発光部２５０のうち少なくともいずれか一方を、表示部１３０における表示色を同じ色で発光させる。
これにより、窓口担当者は貨幣処理機１００による処理の状況を色で把握することができる。この点で窓口担当者は、貨幣処理機１００による処理の状況をより速くより正確に把握し得る。
【００７５】
また、発光制御部２９１は、現金入出口２１０から現金が複数回に分けて排出される場合、複数回の排出のうち最後の排出と、最後以前の排出とで異なる色で第一発光部２４０を発光させる。また、現金入出口２１０から現金が一回で排出される場合、発光制御部２９１は、複数回の排出のうち最後の排出の場合と同じ色で第一発光部２４０を発光させる。
これにより、窓口担当者は、現金の排出がさらに繰り返されるか否かを把握することができる。この点で、窓口担当者が排出された現金を取り忘れる可能性を低減させることができる。
【００７６】
また、発光制御部２９１は、現金入出口２１０に投入される現金が即時処理される場合と、現金入出口２１０に投入される現金の処理が、貨幣処理機１００内部での処理準備動作終了を待って行われる場合とで、第一発光部２４０を異なる態様で発光させる。
これにより、窓口担当者は、現金入出口２１０に投入する現金を直ちに取引可能か否かを把握することができる。
【００７７】
また、一時保留部２２０に蓄えられている現金の入金キャンセルにより現金入出口２１０から現金が排出される場合と、一時保留部２２０が満杯状態になって現金入出口２１０から現金が一時的に返却される場合とで、発光制御部２９１が、第一発光部２４０を異なる態様で発光させるようにしてもよい。
これにより、現金入出口２１０から現金が返却される場合、窓口担当者は、返却される現金を再度投入する必要があるか否かを把握することができ、操作間違いの可能性を低減させることができる。
【００７８】
また、発光制御部２９１は、第一発光部２４０及び第二発光部２５０のうち少なくともいずれか一方を点滅させる場合、省電力モードのときは通常モードのときよりもゆっくりとした周期で点滅させる。
これにより、窓口担当者は、貨幣処理機１００が省電力モードで稼働しているか否かを容易に把握することができる。例えば、貨幣処理機１００が省電力モードでは通常モードよりも処理に時間を要する場合、窓口担当者は、貨幣処理機１００が省電力モードになっているために時間がかかっているのか、貨幣処理機１００の故障など不具合により時間がかかっているのかを見分けることができる。
【００７９】
また、第三発光部２６０は、貨幣処理機１００の本体の正面（筐体前面１１１）の左右それぞれの縁に線状に設けられている。そして、発光制御部２９１は、窓口処理機３００のうち貨幣処理機１００が処理を行っている窓口処理機３００に近い側の第三発光部２６０を発光させる。
これにより、窓口担当者は、第三発光部２６０を参照して窓口処理機３００による貨幣処理機１００の占有状態を把握することができる。従って、窓口担当者が窓口処理機による現金処理機の占有状態を誤解する可能性を低減させることができ、現金の処理操作と現物処理が一致せず処理誤りにつながる可能性を低減させることができる。
特に、第二発光部２５０と第三発光部２６０との両方が窓口処理機３００による貨幣処理機１００の占有状態を表示することで、窓口担当者が表示を見落とす可能性を低減させることができる。この点で、視認性を向上させることができる。
なお、貨幣処理機１００に３つ以上の窓口処理機３００が接続されていてもよい。この場合、貨幣処理機１００は、接続されている窓口処理機３００と同数のスタートボタンを備える。
【００８０】
なお、制御部２９０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００８１】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００８２】
１  窓口システム
１００  貨幣処理機
１２０  通信部
１３０  表示部
１４０  操作入力部
２１１  硬貨入金口
２１２  硬貨出金口
２１３  紙幣入出金口
２１４  紙幣入金リジェクト口
２２１  硬貨プール
２２２  紙幣プール
２２３  硬貨収納部
２２４  紙幣収納部
２３０ａ  左スタートボタン
２３０ｂ  右スタートボタン
２４２  硬貨出金口第一発光部
２４３  紙幣入出口第一発光部
２５０ａ  左第二発光部
２５０ｂ  右第二発光部
２６０ａ  左第三発光部
２６０ｂ  右第三発光部
２８０  記憶部
２９０  制御部
２９１  発光制御部
２９２  モード切替部
２９３  入出金処理部
３００  窓口処理機
【図１】
0006803677.tif 000002
【図２】
0006803677.tif 000003
【図３】
0006803677.tif 000004
【図４】
0006803677.tif 000005
【図５】
0006803677.tif 000006
【図６】
0006803677.tif 000007
【図７】
0006803677.tif 000008
【図８】
0006803677.tif 000009
【図９】
0006803677.tif 000010
【図１０】
0006803677.tif 000011
【図１１】
0006803677.tif 000012